(57)【要約】【課題】  記憶される情報に応じて最適な記憶媒体を選択することができる情報記憶システム、情報記憶方法、情報記憶プログラム及び当該プログラムを記録した記録媒体を提供する。【解決手段】  物理的な記憶媒体１０〜１２を仮想的な記憶媒体にマッピングすることによって、仮想的な記憶媒体の指定に応じて物理的な記憶媒体１０〜１２にアクセスする情報記憶システム１に、記憶媒体１０〜１２の何れかに記憶されるファイルの属性が指定される属性指定手段１５と、属性指定手段１５によって指定された属性に基づいてファイルが記憶される記憶媒体を記憶媒体１０〜１２の中から選択する記憶媒体選択手段１９とを備える。【選択図】  図１
2005227961.tif 000002
【特許請求の範囲】
【請求項１】
情報を記憶する複数の記憶媒体と、
前記記憶媒体に記憶される情報の属性が指定される属性指定手段と、
前記属性指定手段により指定された属性に基づいて記憶媒体を選択する記憶媒体選択手段とを備えたことを特徴とする情報記憶システム。
【請求項２】
少なくとも一部の記憶領域を有する前記記憶媒体がそれぞれ統合されて割り当てられた仮想記憶媒体と前記記憶媒体との対応関係を表す対応情報を記憶する対応情報記憶手段と、
前記情報の記憶先として仮想記憶媒体が指定される仮想記憶媒体指定手段とを備え、
前記記憶媒体選択手段は、対応情報記憶手段に記憶された対応情報を参照し、仮想記憶媒体指定手段により指定された仮想記憶媒体と対応関係にある記憶媒体の中から、属性指定手段により指定された属性に基づいて記憶媒体を選択することを特徴とする請求項１に記載の情報記憶システム。
【請求項３】
前記記憶媒体の特性を表す特性情報を記憶する特性情報記憶手段を備え、
前記記憶媒体選択手段は、特性情報記憶手段に記憶された特性情報を参照し、属性指定手段により指定された属性に最適な特性を有する記憶媒体を選択することを特徴とする請求項１または２に記載の情報記憶システム。
【請求項４】
前記特性情報を、記憶媒体の種別を表す情報、情報漏洩に対する安全性を表す情報、情報の保全度を表す情報、応答速度を表す情報、容量に対するコストを表す情報、脱着可能か否かを表す情報、及び設置場所を表す情報のうちの少なくとも１つを含む情報とすることを特徴とする請求項３に記載の情報記憶システム。
【請求項５】
前記属性を、ファイルの重要度、種別、機密度、必要とされる記憶媒体の応答速度のうちの少なくとも１つを含む性質とすることを特徴とする請求項１から４までのいずれか一項に記載の情報記憶システム。
【請求項６】
前記記憶媒体に記憶されるべき情報を一時的に記憶する一時記憶手段を備え、
前記一時記憶手段が新たな情報を記憶した場合には、記憶媒体は、予め定められた時間が経過した後に前記新たな情報を記憶することを特徴とする請求項１から５までのいずれか一項に記載の情報記憶システム。
【請求項７】
前記情報記憶システムに設けられた記憶媒体を検知する記憶媒体検知手段と、
前記記憶媒体検知手段により検知された記憶媒体の特性情報を取得する特性情報取得手段とを備えたことを特徴とする請求項１から６までのいずれか一項に記載の情報記憶システム。
【請求項８】
前記特性情報取得手段は、記憶媒体検知手段により検知された記憶媒体の特性情報を、ネットワークを介して取得することを特徴とする請求項７に記載の情報記憶システム。
【請求項９】
前記属性指定手段により、既に指定された属性が変更された場合に、
前記記憶媒体選択手段は、変更後の属性に最適な特性を有する記憶媒体を選択し、属性の変更前後で記憶媒体が異なるときには、変更前の記憶媒体から変更後の記憶媒体に前記情報を複写させ、複写後に変更前の記憶媒体から前記情報を削除させることを特徴とする請求項３から８までのいずれか一項に記載の情報記憶システム。
【請求項１０】
情報を記憶する複数の記憶媒体を備え、少なくとも一部の記憶領域を有する前記記憶媒体がそれぞれ統合されて割り当てられた仮想記憶媒体と前記記憶媒体との対応関係を表す対応情報、及び情報の格納先として指定された仮想記憶媒体に基づいて情報を記憶媒体に記憶するシステムによる情報記憶方法であって、
前記記憶媒体の種別等を表す特性情報、記憶媒体に格納される情報の重要度等を表す属性情報、及び情報の記憶先としての仮想記憶媒体を入力し、前記対応情報、特性情報、属性情報及び仮想記憶媒体に基づいて記憶媒体を選択し、前記記憶媒体に情報を記憶することを特徴とする情報記憶方法。
【請求項１１】
情報が記憶される複数の記憶媒体を備えた情報記憶システムにより、少なくとも一部の記憶領域を有する前記記憶媒体がそれぞれ統合されて割り当てられた仮想記憶媒体と前記記憶媒体との対応関係を表す対応情報、及び情報の格納先として指定された仮想記憶媒体に基づいて情報を記憶媒体に記憶する処理を、前記情報記憶システムを構成するコンピュータに実行させる情報記憶プログラムであって、
記憶媒体の種別等を表す特性情報、記憶媒体に格納される情報の重要度等を表す属性情報、及び情報の記憶先としての仮想記憶媒体を入力する処理と、前記対応情報、特性情報、属性情報及び仮想記憶媒体に基づいて記憶媒体を選択する処理と、前記記憶媒体に情報を記憶する処理とを実行させる情報記憶プログラム。
【請求項１２】
請求項１１に記載の情報記憶プログラムを記録した記録媒体。
【発明の詳細な説明】
【技術分野】
【０００１】
本発明は、情報記憶システムに関し、詳しくは、物理的な記憶媒体を仮想的な記憶媒体にマッピングすることによって、仮想的な記憶媒体の指定に応じて物理的な記憶媒体にアクセスする情報記憶システムに関するものである。
【背景技術】
【０００２】
従来、情報記憶システムには、物理的な記憶媒体を仮想的な記憶媒体にマッピングすることによって、仮想的な記憶媒体の指定に応じて物理的な記憶媒体にアクセスするものがある。例えば、磁気ディスクボリュームのデータ作成や更新が行われた後に物理アドレスを変更したい場合には、サービスプロセッサから物理アドレスと論理アドレスとの対応関係のみを変更することによって、磁気ディスクに書き込まれたデータをそのまま維持した状態で物理アドレスの変更を可能とするものである（例えば、特許文献１参照。）。
【０００３】
【特許文献１】特開２００２−４９５１１号公報（段落〔００１６〕〔００１７〕）
【発明の開示】
【発明が解決しようとする課題】
【０００４】
しかしながら、上記の従来技術は、物理アドレスと論理アドレスとの対応関係を変更するものであり、物理的な記憶媒体が仮想的な記憶媒体の指定に応じて選択されてしまうため、記憶される情報に応じて最適な記憶媒体を選択することができないという問題があった。
【０００５】
本発明は、このような問題を解決するためになされたものであり、その目的は、記憶される情報に応じて最適な記憶媒体を選択することができる情報記憶システム、情報記憶方法、情報記憶プログラム及び当該プログラムを記録した記録媒体を提供することにある。
【課題を解決するための手段】
【０００６】
本発明の請求項１に係る情報記憶システムは、情報を記憶する複数の記憶媒体と、前記記憶媒体に記憶される情報の属性が指定される属性指定手段と、前記属性指定手段により指定された属性に基づいて記憶媒体を選択する記憶媒体選択手段とを備えたことを特徴とする。
【０００７】
この構成により、情報を記憶する記憶媒体が情報の属性に基づいて選択されるため、記憶される情報に応じて最適な記録媒体を選択することができる。
【０００８】
本発明の請求項２に係る情報記憶システムは、請求項１の情報記憶システムにおいて、少なくとも一部の記憶領域を有する前記記憶媒体がそれぞれ統合されて割り当てられた仮想記憶媒体と前記記憶媒体との対応関係を表す対応情報を記憶する対応情報記憶手段と、前記情報の記憶先として仮想記憶媒体が指定される仮想記憶媒体指定手段とを備え、前記記憶媒体選択手段は、対応情報記憶手段に記憶された対応情報を参照し、仮想記憶媒体指定手段により指定された仮想記憶媒体と対応関係にある記憶媒体の中から、属性指定手段により指定された属性に基づいて記憶媒体を選択することを特徴とする。
【０００９】
この構成により、請求項１の効果に加えて、仮想的な記憶媒体にマッピングされた記憶媒体の中から、情報を記憶する記憶媒体が選択されるため、仮想的な記憶媒体と物理的な記憶媒体との対応関係を維持しつつ、記憶される情報に応じて最適な記憶媒体を選択することができる。
【００１０】
本発明の請求項３に係る情報記憶システムは、請求項１または２の情報記憶システムにおいて、前記記憶媒体の特性を表す特性情報を記憶する特性情報記憶手段を備え、前記記憶媒体選択手段は、特性情報記憶手段に記憶された特性情報を参照し、属性指定手段により指定された属性に最適な特性を有する記憶媒体を選択することを特徴とする。
【００１１】
この構成により、請求項１または２の効果に加えて、情報を記憶する記憶媒体が、設定された記憶媒体の特性情報に基づいて選択されるため、記憶される情報に応じて最適な特性を有する記憶媒体を選択することができる。
【００１２】
本発明の請求項４に係る情報記憶システムは、請求項３に記載の情報記憶システムにおいて、前記特性情報を、記憶媒体の種別を表す情報、情報漏洩に対する安全性を表す情報、情報の保全度を表す情報、応答速度を表す情報、容量に対するコストを表す情報、脱着可能か否かを表す情報、及び設置場所を表す情報のうちの少なくとも１つを含む情報とすることを特徴とする。
【００１３】
この構成により、請求項３の効果に加えて、情報を記憶する記憶媒体が、設定された記憶媒体の種別等に基づいて選択されるため、記憶される情報に応じて最適な特性を有する記憶媒体を選択することができる。
【００１４】
本発明の請求項５に係る情報記憶システムは、請求項１から４までのいずれか一項の情報記憶システムにおいて、前記属性を、ファイルの重要度、種別、機密度、必要とされる記憶媒体の応答速度のうちの少なくとも１つを含む性質とすることを特徴とする。
【００１５】
この構成により、請求項１から４までのいずれかの効果に加えて、情報を記憶する記憶媒体が、記憶される情報の重要度等に基づいて選択されるため、記憶される情報の具体的な属性に応じて最適な記憶媒体を選択することができる。
【００１６】
本発明の請求項６に係る情報記憶システムは、請求項１から５までのいずれか一項の情報記憶システムにおいて、前記記憶媒体に記憶されるべき情報を一時的に記憶する一時記憶手段を備え、前記一時記憶手段が新たな情報を記憶した場合には、記憶媒体は、予め定められた時間が経過した後に前記新たな情報を記憶することを特徴とする。
【００１７】
この構成により、請求項１から５までのいずれかの効果に加えて、新たな情報が生成されてから予め定められた時間までは記憶媒体に情報が書き込まれないため、新たな情報が生成されてから予め定められた時間内に属性が指定された場合には、当該属性の指定前のデフォルトの属性に基づいて選択された記憶媒体から、指定された属性により記憶される情報に応じて最適に選択された記憶媒体に情報を移動するための処理負荷を軽減することができる。
【００１８】
本発明の請求項７に係る情報記憶システムは、請求項１から６までのいずれか一項の情報記憶システムにおいて、前記情報記憶システムに設けられた記憶媒体を検知する記憶媒体検知手段と、前記記憶媒体検知手段により検知された記憶媒体の特性情報を取得する特性情報取得手段とを備えたことを特徴とする。また、本発明の請求項８の情報記憶システムは、請求項７の情報記憶システムにおいて、前記特性情報取得手段は、記憶媒体検知手段により検知された記憶媒体の特性情報を、ネットワークを介して取得することを特徴とする。
【００１９】
これらの構成により、請求項１から６までのいずれかの効果に加えて、新たに装着された記憶媒体の特性情報がネットワーク等を介して取得されるため、利用者が特性情報を入力する手間を低減することができる。
【００２０】
本発明の請求項９に係る情報記憶システムは、請求項３から８までのいずれか一項の情報記憶システムにおいて、前記属性指定手段により、既に指定された属性が変更された場合に、前記記憶媒体選択手段は、変更後の属性に最適な特性を有する記憶媒体を選択し、属性の変更前後で記憶媒体が異なるときには、変更前の記憶媒体から変更後の記憶媒体に前記情報を複写させ、複写後に変更前の記憶媒体から前記情報を削除させることを特徴とする。
【００２１】
この構成により、請求項３から８までのいずれかの効果に加えて、属性の変更前に記憶されていた記憶媒体から属性の変更後に記憶すべき記憶媒体に、情報を移動させることができる。
【００２２】
本発明の請求項１０に係る情報記憶方法は、情報を記憶する複数の記憶媒体を備え、少なくとも一部の記憶領域を有する前記記憶媒体がそれぞれ統合されて割り当てられた仮想記憶媒体と前記記憶媒体との対応関係を表す対応情報、及び情報の格納先として指定された仮想記憶媒体に基づいて情報を記憶媒体に記憶するシステムによる情報記憶方法であって、前記記憶媒体の種別等を表す特性情報、記憶媒体に格納される情報の重要度等を表す属性情報、及び情報の記憶先としての仮想記憶媒体を入力し、前記対応情報、特性情報、属性情報及び仮想記憶媒体に基づいて記憶媒体を選択し、前記記憶媒体に情報を記憶することを特徴とする。
【００２３】
本発明の請求項１１に係る情報記憶プログラムは、情報が記憶される複数の記憶媒体を備えた情報記憶システムにより、少なくとも一部の記憶領域を有する前記記憶媒体がそれぞれ統合されて割り当てられた仮想記憶媒体と前記記憶媒体との対応関係を表す対応情報、及び情報の格納先として指定された仮想記憶媒体に基づいて情報を記憶媒体に記憶する処理を、前記情報記憶システムを構成するコンピュータに実行させる情報記憶プログラムであって、記憶媒体の種別等を表す特性情報、記憶媒体に格納される情報の重要度等を表す属性情報、及び情報の記憶先としての仮想記憶媒体を入力する処理と、前記対応情報、特性情報、属性情報及び仮想記憶媒体に基づいて記憶媒体を選択する処理と、前記記憶媒体に情報を記憶する処理とを実行させることを特徴とする。
【００２４】
本発明の請求項１２は、請求項１１に記載の情報記憶プログラムを記録した記録媒体である。
【発明の効果】
【００２５】
本発明によれば、記憶される情報に応じて最適な記憶媒体を選択することができる情報記憶システムを提供することができる。
【発明を実施するための最良の形態】
【００２６】
以下、本発明の実施の形態について、図面を参照して説明する。
図１は、本発明の実施の形態に係る情報記憶システム１の構成を示すブロック図である。この情報記憶システム１は、情報を記憶する複数の記憶媒体１０〜１２と、当該記憶媒体１０〜１２の少なくとも一部の記憶領域が統合されて割り当てられた仮想的な記憶媒体と物理的な記憶媒体１０〜１２との対応関係を表す対応情報を記憶する対応情報記憶手段１３と、当該対応情報記憶手段１３に記憶された対応情報に基づいて記憶媒体１０〜１２の何れかから情報を読み取り、及び記憶媒体１０〜１２の何れかに情報を書き込む等の処理を行う記憶媒体アクセス手段１４とを備えている。尚、情報記憶システム１は、図１に示すように、さらに、属性指定手段１５等の各種手段も備えているが、これらの手段については後述する。また、記憶媒体１０〜１２に記憶される情報を「ファイル」と記し、記憶媒体１０〜１２のうちの何れか１つの記憶媒体を「物理的記憶媒体」と記すものとする。
【００２７】
記憶媒体１０〜１２は、磁気を用いて情報を記憶するハードディスク装置、電気を用いて情報を記憶するフラッシュメモリ、光学的に情報を記憶する光ディスク等の不揮発性の物理的な記憶媒体により構成される。
【００２８】
対応情報記憶手段１３は、ハードディスク装置等の物理的な記憶媒体により構成され、仮想記憶媒体と物理的記憶媒体との対応関係を表す対応情報を記憶する。この対応情報は、図示しない入力装置を介して利用者によって予め設定され、対応情報記憶手段１３に記憶される情報である。
【００２９】
図２を参照して、対応情報記憶手段１３に記憶される対応情報について説明する。図２には、２つの仮想記憶媒体「／ｈｏｍｅ」，「／ｕｓｒ」、３つの物理的記憶媒体である記憶媒体１０〜１２、及びこれらの対応関係を意味する矢印が示されている。記憶媒体１０は記憶領域５０，５１を有し、記憶媒体１１は記憶領域５２，５３を有し、記憶媒体１２は記憶領域５４を有する。仮想記憶媒体「／ｈｏｍｅ」には、記憶媒体１０の一部である記憶領域５０と、記憶媒体１１の一部である記憶領域５２とが統合されて割り当てられている。また、仮想記憶媒体「／ｕｓｒ」には、記憶媒体１０の一部である記憶領域５１と、記憶媒体１１の一部である記憶領域５３と、記憶媒体１２の全ての部分である記憶領域５４とが統合されて割り当てられている。この割り当て関係が仮想記憶媒体「／ｈｏｍｅ」，「／ｕｓｒ」と記憶媒体１０〜１２との対応情報になり、対応情報記憶手段１３にはこのような対応情報が記憶されている。
【００３０】
この場合、ファイルが新規に作成され、ファイルの記憶場所として仮想記憶媒体「／ｈｏｍｅ」が指定されると、新規に作成されたファイルは、記憶媒体１０の一部である記憶領域５０及び記憶媒体１１の一部である記憶領域５２のうちのいずれかの記憶領域に記憶される。
【００３１】
図１を再度参照して、情報記憶システム１は、前述の記憶媒体１０〜１２、対応情報記憶手段１３及び記憶媒体アクセス手段１４に加えて、さらに、物理的記憶媒体に記憶されるファイルの属性の指定処理を行う属性指定手段１５と、当該属性指定手段１５により指定された属性を表わす属性情報を含む、ファイルに関する情報を記憶するファイル情報記憶手段１６と、ファイルの記憶先として利用者により入力される仮想記憶媒体の指定処理を行う仮想記憶媒体指定手段１７と、各記憶媒体１０〜１２の特性を表す特性情報を記憶する特性情報記憶手段１８と、ファイルが記憶される物理的記憶媒体を記憶媒体１０〜１２の中から選択する記憶媒体選択手段１９とを備えている。
【００３２】
属性指定手段１５は、図示しない入力装置を介して利用者によりファイルの属性が入力された場合に、その指定処理を行う。ここで、属性とは、ファイルの重要度、種別、機密度、必要とされる記憶媒体の応答速度等のファイルの性質を意味する。属性指定手段１５は、これらの性質のうちの少なくとも１つを含む属性について指定処理を行い、属性情報としてファイル情報記憶手段１６に記憶させる。
【００３３】
ファイル情報記憶手段１６は、ハードディスク等の物理的な記憶媒体により構成され、属性指定手段１５により指定処理されたファイルの属性を属性情報として記憶する。
【００３４】
特性情報記憶手段１８は、ハードディスク等の物理的な記憶媒体により構成され、各記憶媒体１０〜１２の特性を表す特性情報を記憶する。ここで、特性情報とは、物理的記憶媒体の種別を表す情報、情報漏洩に対する安全性を表す情報、情報の保全度を表す情報、応答速度を表す情報、容量に対するコストを表す情報、脱着可能か否かを表す情報、設置場所を表す情報等の物理的記憶媒体の性質に関する情報を意味する。特性情報記憶手段１８は、これらの情報のうちの少なくとも１つを含む特性情報を記憶する。
【００３５】
記憶媒体選択手段１９は、対応情報記憶手段１３に記憶された対応情報を参照し、仮想記憶媒体指定手段１７によりファイルの記憶場所として指定処理された仮想記憶媒体と対応関係にある物理的記憶媒体の中から、特性情報記憶手段１８に記憶された特性情報を参照し、属性指定手段１５により指定処理された属性に最適な特性を有する物理的記憶媒体を選択する。
【００３６】
図２を参照して、記憶媒体選択手段１９について具体的に説明する。仮想記憶媒体指定手段１７によりファイルの記憶先として仮想記憶媒体「／ｕｓｒ」が指定処理された場合、記憶媒体選択手段１９は、対応情報記憶手段１３に記憶された対応情報を参照し、記憶領域５１を有する記憶媒体１０、記憶領域５３を有する記憶媒体１１、及び記憶領域５４を有する記憶媒体１２の中から、属性指定手段１５により指定された属性に最適な特性を有する物理的記憶媒体を選択する。
【００３７】
例えば、属性として「機密度：高」が示されたファイルを記憶する場合には、記憶媒体選択手段１９は、暗号化ディスク等のように特性情報として「安全度：高」が示された物理的記憶媒体を優先的に選択する。また、属性として「重要度：高」が示されたファイルを記憶する場合には、記憶媒体選択手段１９は、ＲＡＩＤ１（ミラーリング）を構成するディスク等のように特性情報として「保全度：高」が示された物理的記憶媒体を優先的に選択する。
【００３８】
また、属性として「重要度：低」が示されたファイルを記憶する場合には、記憶媒体選択手段１９は、ＩＤＥ（Ｉｎｔｅｇｒａｔｅｄ  Ｄｒｉｖｅ  Ｅｌｅｃｔｒｏｎｉｃｓ）ディスク等のように特性情報として「容量に対するコスト：低」が示された物理的記憶媒体を優先的に選択する。また、属性として「種別：映像」が示されたファイルを記憶する場合には、記憶媒体選択手段１９は、ＲＡＩＤ０（ストライピング）を構成するディスク等のような特性情報として「応答速度：高」が示された物理的記憶媒体を優先的に選択する。
【００３９】
そして、記憶媒体選択手段１９が、属性指定手段１５により指定された属性に最適な特性を有する物理的記憶媒体として記憶媒体１０を選択した場合には、記憶媒体アクセス手段１４は、ファイルを記憶媒体１０の記憶領域５１に書き込む。
【００４０】
図１を再度参照して、情報記憶システム１は、前述の記憶媒体１０〜１２、対応情報記憶手段１３、記憶媒体アクセス手段１４、属性指定手段１５、ファイル情報記憶手段１６、仮想記憶媒体指定手段１７、特性情報記憶手段１８及び記憶媒体選択手段１９に加えて、さらに、当該情報記憶システム１に新たに装着された物理的記憶媒体を検知する記憶媒体検知手段２０と、当該記憶媒体検知手段２０により検知された物理的記憶媒体の特性情報を取得して特性情報記憶手段１８に記憶させる特性情報取得手段２１とを備えている。
【００４１】
このような情報記憶システム１において、新たなファイルが生成された場合、属性指定手段１５は、そのファイルの属性としてデフォルトの属性を指定する。その後、そのファイルの属性として新たな属性が、利用者により属性指定手段１５を介して指定された場合には、デフォルトの属性に基づいて選択された物理的記憶媒体から、利用者により新たに指定された属性に基づいて選択される物理的記憶媒体にファイルを移動させる必要がある。
【００４２】
このため、情報記憶システム１は、物理的記憶媒体に記憶される情報を一時的に記憶するキャッシュ２２をさらに備えている。キャッシュ２２はＲＡＭ（Ｒａｎｄｏｍ  Ａｃｃｅｓｓ  Ｍｅｍｏｒｙ）により構成され、新たなファイルがキャッシュ２２に書き込まれた場合には、少なくとも予め定められた時間が経過するまでは、その新たなファイルを物理的記憶媒体に書き込まないようになっている。新たなファイルが生成され、利用者によりそのファイルの属性が指定された場合の動作については後述する。
【００４３】
次に、図１に示した情報記憶システム１の動作について説明する。
図３は、情報記憶システム１の属性変更動作を説明するフローチャートである。以下、記憶媒体１０〜１２のうちの何れかにファイルを記憶した後に、そのファイルの属性を変更する場合の動作について説明する。この場合、情報記憶システム１は、変更される属性に対応する物理的記憶媒体に、そのファイルを格納し直す必要がある。すなわち、情報記憶システム１は、既にそのファイルが格納されている物理的記憶媒体から、変更される属性に対応する物理的記憶媒体に、当該ファイルを移動させる必要がある。
【００４４】
まず、属性指定手段１５は、利用者によるファイルの属性の変更要求があるか否かを判断する（ステップＳ１）。属性指定手段１５は、属性の変更要求を判断すると、ファイルの属性の指定処理を行う。記憶媒体選択手段１９は、対応情報記憶手段１３を参照し、属性の変更の対象となるファイル（以下、「対象ファイル」という。）が仮想的に記憶されている仮想記憶媒体と対応関係にある物理的記憶媒体の候補を選択する（ステップＳ２）。
【００４５】
そして、記憶媒体選択手段１９は、ステップ２において選択した物理的記憶媒体の候補の中から、物理的記憶媒体の特性情報が記憶されている特性情報記憶手段１８を参照し、属性指定手段１５により指定された属性に最適な特性を有する物理的記憶媒体を選択する（ステップＳ３）。
【００４６】
記憶媒体選択手段１９は、ステップ３において選択した物理的記憶媒体と、対象ファイルが記憶されている物理的記憶媒体とが等しいか否かを判断する（ステップＳ４）。両者が等しくないと判断した場合には、すなわち対象ファイルが記憶されるべき物理的記憶媒体に変更があると判断した場合には（ステップＳ４）、記憶媒体アクセス手段１４は、記憶媒体選択手段１９によりステップ３において選択された物理的記憶媒体の記憶領域であって、仮想記憶媒体に関連付けられた記憶領域に、対象ファイルを複写する（ステップＳ５）。また、記憶媒体アクセス手段１４は、記憶されていた変更元（複写元）の対象ファイルを消去する（ステップＳ６）。
【００４７】
記憶媒体選択手段１９が、選択した物理的記憶媒体と対象ファイルが記憶されている物理的記憶媒体とが等しいと判断した場合（対象ファイルが記憶される物理的記憶媒体に変更がない場合）（ステップＳ４）や、記憶媒体アクセス手段１４が、記憶されていた変更元（複写元）の対象ファイルを消去した（ステップＳ６）場合には、ファイル情報記憶手段１６は、対象ファイルの属性情報を記憶し、属性を変更する（ステップＳ７）。
【００４８】
図４は、情報記憶システム１のファイル記憶動作を説明するフローチャートである。以下、ファイルを一旦キャッシュ２２に記憶させ、記憶媒体１０〜１２のうちの何れかに記憶させる動作、及びファイル情報記憶手段１６にそのファイルの属性を記憶させる動作について説明する。
【００４９】
まず、記憶媒体アクセス手段１４は、利用者により入力装置等を介してファイルの記憶要求があるか否かを判断する（ステップＳ２１）。記憶媒体アクセス手段１４は、ファイルの記憶要求を判断すると、記憶要求されたファイル（以下、「記憶ファイル」という。）をキャッシュ２２に記憶させ、キャッシュ２２は記憶ファイルを記憶する（ステップＳ２２）。この時、図示しないタイマはカウントを開始する。属性指定手段１５は、利用者により記憶ファイルの属性が指定されたか否かを判断すると共に（ステップＳ２３）、タイマによるカウントが予め定められた時間を経過したが否かを判断する（ステップＳ２４）。属性指定手段１５は、利用者による属性の指定がなく、予め定められた時間が経過したと判断した場合には、デフォルトの属性が指定されたものとして指定処理を行う（ステップＳ２５）。一方、属性指定手段１５は、予め定められた時間内に利用者による属性が指定されたと判断した場合には、その属性の指定処理を行う。尚、属性指定手段１５は、予め定められた時間を経過して利用者による属性が指定されたと判断した場合には、その指定処理は行わない。
【００５０】
記憶媒体選択手段１９は、対応情報記憶手段１３及び仮想記憶媒体指定手段１７を参照し、記憶ファイルの記憶先として指定された仮想記憶媒体と対応関係にある物理的記憶媒体の候補を選択する（ステップＳ２６）。そして、記憶媒体選択手段１９は、物理的記憶媒体の特性情報が記憶されている特性情報記憶手段１８を参照し、ステップ２６において選択した物理的記憶媒体の候補の中から、属性指定手段１５により指定された属性に最適な特性を有する物理的記憶媒体を選択する（ステップＳ２７）。
【００５１】
記憶媒体アクセス手段１４は、記憶媒体選択手段１９によりステップ２７において選択された物理的記憶媒体の記憶領域であって、仮想記憶媒体に関連付けられた記憶領域に、キャッシュ２２に記憶された記憶ファイルを記憶媒体アクセス手段１４に記憶させる（ステップＳ２８）。また、ファイル情報記憶手段１６は、記憶ファイルに対応する属性の記憶を確定する（ステップＳ２９）。
【００５２】
図５は、情報記憶システム１の記憶媒体増設動作を説明するフローチャートである。以下、新たな記憶媒体が情報記憶システム１に増設された場合に、その特性情報を特性情報記憶手段１８に記憶させる動作について説明する。
【００５３】
記憶媒体検知手段２０は、新たな物理的記憶媒体が情報記憶システム１に装着されたか否かを判断する（ステップＳ４１）。記憶媒体検知手段２０は、新たな装着を判断すると、特性情報取得手段２１は、その物理的記憶媒体の特性情報を取得する（ステップＳ４２）。そして、特性情報取得手段２１は、取得した特性情報を特性情報記憶手段１８に記憶させ、特性情報記憶手段１８は特性情報を記憶する（ステップＳ４３）。この特性情報記憶手段１８に記憶された、新たな物理的記憶媒体の特性情報は、記憶媒体選択手段１９がファイルの属性に最適な特性を有する物理的記憶媒体を選択する際に用いられる。
【００５４】
上記に説明した情報記憶システム１は、中央処理装置（Ｃｅｎｔｒａｌ  Ｐｒｏｃｅｓｓｉｎｇ  Ｕｎｉｔ／以下、「ＣＰＵ」という。）、ＲＡＭ等の揮発性の記憶媒体、ＲＯＭ（Ｒｅａｄ  Ｏｎｌｙ  Ｍｅｍｏｒｙ）等の不揮発性の記憶媒体、キーボードやポインティングデバイス等の入力装置、画像やデータを表示するモニタ装置、及び外部の装置と通信をするためのインターフェースを備えたコンピュータ装置によって構成される。情報記憶システム１を構成する各手段は、上記の動作を記述したプログラムをＣＰＵに実行させるようにしてもよい。すなわち、記憶媒体アクセス手段１４、属性指定手段１５、記憶媒体選択手段１９、記憶媒体検知手段２０及び特性情報取得手段２１のうちの少なくとも１つの手段は、上記プログラムを実行するＣＰＵによって構成するようにしてもよい。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【００５５】
以上説明したように、本発明の実施の形態に係る情報記憶システム１によれば、ファイルを記憶する物理的記憶媒体がファイルの属性に基づいて選択されから、記憶されるファイルに応じて最適な物理的記憶媒体を選択することができる。
【００５６】
また、本発明の実施の形態に係る情報記憶システム１によれば、新たなファイルを生成する際にキャッシュ２２に書き込まれた新たなファイルを、予め定められた時間が経過するまでは物理的記憶媒体に記憶しないようにした。これにより、その時間内にファイルの属性が指定された場合には、デフォルトの属性に基づいて選択された物理的記憶媒体から、新たに指定されたファイルの属性に基づいて選択される物理的記憶媒体にそのファイルを移動させる（複写して元のファイルを削除する）必要がない。従って、このような移動の処理負荷を低減することができる。
【００５７】
以上、実施の形態を挙げて本発明を説明したが、本発明は上記の実施の形態に限定されるものではなく、本発明の精神及び意図を逸脱しない限り、種々変形が可能である。例えば、上記の実施の形態においては、図１に示したように、情報記憶システム１は３つの記憶媒体１０〜１２を備えているが、これは、発明の内容を理解し易くするために、便宜上３つの記憶媒体１０〜１２を備えるようにしたものである。従って、情報記憶システム１を構成する記憶媒体の数は、３つに制限されるものではない。また、その記憶媒体は、ハードディスク装置、フラッシュメモリ、光ディスク等の媒体であり、これらの種類が混在していてもよい。
【００５８】
また、上記の実施の形態においては、記憶媒体１０〜１２はそれぞれ単一の記憶媒体としているが、複数のハードディスクによって構成されるＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）機能を有する記憶媒体であってもよい。更に、記憶媒体１０〜１２は、情報記憶システム１を構成する装置内に設置されることに限らず、通信インターフェース及びネットワークを介して接続される装置として遠隔地に設置されていてもよい。
【００５９】
また、上記の実施の形態においては、属性指定手段１５が利用者により入力されたファイルの属性を指定処理するようにしたが、ファイルがインターネット等のネットワークを介して入力されたり、ＣＤ−ＲＯＭ（Ｃｏｍｐａｃｔ  Ｄｉｓｃ  Ｒｅａｄ  Ｏｎｌｙ  Ｍｅｍｏｒｙ）等の脱着可能な記憶媒体から読み込まれて入力されたりした場合には、属性指定手段１５は、ファイルの拡張子やヘッダ部、またはＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）等に基づいて属性情報を生成するようにしてもよい。
【００６０】
また、上記の実施の形態においては、特性情報取得手段２１が情報記憶システム１に新たに装着された物理的記憶媒体の特性情報を取得するようにしたが、インターネット等のネットワークを介して取得したり、ＣＤ−ＲＯＭ等の脱着可能な記憶媒体から読み込んだりして、特性情報を取得するようにしてもよい。また、特性情報取得手段２１は、物理的記憶媒体のデバイスドライバがインストールされる際に、特性情報を取得するようにしてもよい。また、入力装置を介して利用者に特性情報を入力させるようにしてもよい。
【００６１】
また、上記の実施形態においては、記憶媒体選択手段１９が、物理的記憶媒体の候補の中からファイルの属性に最適な特性を有する物理的記憶媒体を選択するようにしたが（図３に示したステップ３、図４に示したステップ２７）、選択した物理的記憶媒体が検知されなかったり使用できない状態にあったりした場合には、当該物理的記憶媒体を除いた候補の中から、再度、ファイルの属性に最適な特性を有する物理的記憶媒体を順次選択するようにしてもよい。
【図面の簡単な説明】
【００６２】
【図１】本発明の実施の形態に係る情報記憶システムの構成を示すブロック図である。
【図２】図１の情報記憶システムを構成する対応情報記憶手段に記憶される対応情報を説明するための図である。
【図３】図１の情報記憶システムにおける属性変更動作を説明するフローチャートである。
【図４】図１の情報記憶システムにおけるファイル記憶動作を説明するフローチャートである。
【図５】図１の情報記憶システムにおける情報媒体増設動作を説明するフローチャートである。
【符号の説明】
【００６３】
１  情報記憶システム
１０〜１２  記憶媒体
１３  対応情報記憶手段
１４  記憶媒体アクセス手段
１５  属性指定手段
１６  ファイル情報記憶手段
１７  仮想記憶媒体指定手段
１８  特性情報記憶手段
１９  記憶媒体選択手段
２０  記憶媒体検知手段
２１  特性情報取得手段
２２  キャッシュ
５０〜５４  記憶領域
【図１】
2005227961.tif 000003
【図２】
2005227961.tif 000004
【図３】
2005227961.tif 000005
【図４】
2005227961.tif 000006
【図５】
2005227961.tif 000007